(57)【要約】      （修正有）【課題】広い場所を必要としない遊びあるいはスポーツとして、年齢に関わりなく、楽しんだり、競技したりするために有用な羽根付き遊具を提供する。【解決手段】複数の羽根片よりなる羽根部１と、前記羽根部の下部に設けられた上部ストッパ部５と、前記上部ストッパ部の下部に設けられ、バネゴマ７により構成されたバネ部と、前記バネ部の下部に設けられ、下部ストッパを兼ねる蹴り上げ部とを有していることを特徴とする羽根付き遊具。前記羽根部を上部で固定する羽根軸４を有し、前記羽根部は前記羽根軸に十字状に固定された４枚の片羽根片よりなり、前記上部ストッパ部は前記羽根軸に固定されており、前記バネ部は中央部に設けられた孔に羽根軸が挿入された複数枚のバネゴマを有し、前記蹴り上げ部は前記羽根軸の下端に固定された薄円板２，３よりなることを特徴とする羽根付き遊具。【選択図】図１
0003131072.tif 000002
【実用新案登録請求の範囲】
【請求項１】
複数の羽根片よりなる羽根部と、
前記羽根部の下部に設けられた上部ストッパ部と、
前記上部ストッパ部の下部に設けられ、バネゴマにより構成されたバネ部と、
前記バネ部の下部に設けられ、下部ストッパを兼ねる蹴り上げ部と
を有していることを特徴とする羽根付き遊具。
【請求項２】
前記羽根部を上部で固定する羽根軸を有し、
前記羽根部は前記羽根軸に十字状に固定された４枚の片羽根片よりなり、
前記上部ストッパ部は前記羽根軸に固定されており、
前記バネ部は中央部に設けられた孔に羽根軸が挿入された複数枚のバネゴマを有し、
前記蹴り上げ部は前記羽根軸の下端に固定された薄円板よりなる
ことを特徴とする請求項１に記載の羽根付き遊具。
【請求項３】
前記蹴り上げ部が固定具により前記羽根軸の下端に固定されており、
前記固定具の一部が前記蹴り上げ部の下面に露出しており、さらに前記固定具の露出部を保護する手段が前記蹴り上げ部に設けられていることを特徴とする請求項２に記載の羽根付き遊具。
【請求項４】
前記羽根片が、合成樹脂製の不織布またはネット状製品からなることを特徴とする請求項１ないし請求項３のいずれかに記載の羽根付き遊具。
【考案の詳細な説明】
【技術分野】
【０００１】
本考案は、足で蹴って、空中に舞い上げて遊ぶ羽根付き遊具に関する。
【背景技術】
【０００２】
足で蹴って行う遊びあるいはスポーツとしては、日本古来の蹴鞠や、現在人気中のサッカー等がある。また、平手で打ち合う遊びあるいはスポーツとしては、インディアカ等がある。さらに、ラケットや羽子板などを用いて打ち合う遊びあるいはスポーツとしては、羽根突き、バドミントン、テニス等がある。
【０００３】
しかし、これらの遊びあるいはスポーツは、一人で行うとしても、一定の広さの場所を必要とする。また、大人と子供が一緒になって競技することには無理がある。
【０００４】
場所をとらず、手足で突く遊具としては、実公昭４９−９４７８０号公報（実用新案文献１）に、「軽量柱状体の上面部に、多数の羽根片を環状に植設してなる手足で突く羽根」が提案されている。しかし、この考案における柱状体は、円形状の素材を単に重ね合わせただけのものであるため、蹴り上げて空中高く舞い上げるには、ある程度の体力を必要とする。
【実用新案文献１】
【０００５】
実公昭４９−９４７８０号公報
【考案の開示】
【考案が解決しようとする課題】
【０００６】
本考案は、広い場所を必要としない遊びあるいはスポーツとして、年齢に関わりなく、楽しんだり、競技したりするために有用な羽根付き遊具を提供することを課題とする。
【課題を解決するための手段】
【０００７】
本考案は、上記の課題を解決することを目的としてなされたものであり、特に反発力を簡単に得る手段に工夫を凝らしたものである。以下、各請求項の考案を説明する。
【０００８】
請求項１に記載の考案は、
複数の羽根片よりなる羽根部と、
前記羽根部の下部に設けられた上部ストッパ部と、
前記上部ストッパ部の下部に設けられ、バネゴマにより構成されたバネ部と、
前記バネ部の下部に設けられ、下部ストッパを兼ねる蹴り上げ部と
を有していることを特徴とする羽根付き遊具である。
【０００９】
本請求項の考案は、羽根部、上部ストッパ部、バネ部、蹴り上げ部より構成される。
各々の構成につき、図１〜図５を用いて説明する。なお、図１は、本請求項の考案に係る遊具の概念図であり、図２は、羽根部の構造を説明する図である。また、図３は、上部ストッパ部の構造を説明する図であり、図４は、バネゴマの構造を説明する図である。さらに、図５は、蹴り上げ部の構造を説明する図であり、理解を容易にするために、最下部のバネゴマ１対を取り除いている。
【００１０】
（羽根部の構成）
図１において、羽根部１は、４枚の片羽根片が羽根軸４で結束・固定されて構成されている。即ち、図２に示すように、前記羽根部は、１ａ〜１ｄの各片羽根片４枚を、各羽根軸４を中心にして十字状に組み合わせて、結束・固定されている。
結束・固定の方法としては、図１の４ｂに示すように、糸等で括る他に、針等を用いて羽根軸４を貫通させて結束・固定してもよい。結束・固定する箇所は、図１に示すように４箇所に限定されることなく、２箇所以上であれば、いくつでもよい。
片羽根片の素材としては、図１に示すように、羽根軸４にバネゴマ７により構成されたバネ部を配置でき、さらに、図５に示すように、羽根軸下端４ａで蹴り上げ部に固定できるだけの長さを有していれば、天然素材でも合成樹脂素材でもよい。
【００１１】
（上部ストッパ部の構成）
上部ストッパ部は、図１に示す上部ストッパ５により構成される。上部ストッパ５は、上部薄円板３が羽根側に移動することを防ぐために配置されるものであって、その一例を、図３に示す。即ち、図３においては、５ａ〜５ｄに示すように、硬い針金を羽根軸４に貫通させて折り返した形に配置される。ここで、５ａ〜５ｄが移動、変形しないよう、さらに軟らかい針金等を用いて５ｅのように括りつけ固定してもよい。
【００１２】
（バネ部の構成）
バネ部は、図１に示すように、バネゴマ７より構成される。
図１に示すように、バネゴマ７は、合成樹脂製であって、図４に示すように、個々のバネゴマ７は、中央部に孔の開いた平面状円板を一方に湾曲させただけの構造を有している。孔の径は、図１において、バネゴマ７が羽根軸４に沿って、上下自由に移動することができるだけの大きさになっている。湾曲した円板である個々のバネゴマを、図１に示すように、交互に凹凸にして組み合わせて羽根軸４を前記孔に貫通させて、バネゴマ７が配置される。このバネゴマ７は、蹴り上げた際、湾曲円板の凹凸のかみ合わせが微妙に変化して、羽根付き遊具に微妙な軌道を与え、遊具としての面白さが増す。組み合わせる枚数としては、特に制限されないが、通常は２〜２０枚程度が好ましく、奇数枚であってもよい。
【００１３】
さらに、図１に示すように、上部ストッパ５とバネゴマ７の間には、上部薄円板３が配置される。上部薄円板３は、合成樹脂製の薄い円板であって、バネゴマ７と同様に孔が開けられ、羽根軸４に沿って、上下自由に移動することができるようになっている。ただし、上部ストッパ５より上には、移動することができない。
【００１４】
（蹴り上げ部の構成）
図１に示すように、蹴り上げ部は、下部薄円板２よりなる。下部薄円板２は、その上面で、バネゴマ７が下に移動することを防ぐ下部ストッパとしての役割も兼ねている。下部薄円板２には孔が開けられており、図５に示すように、針金等の固定具６を用いて、羽根軸下端４ａと下部薄円板２とが固定される。下部薄円板２は、合成樹脂製の薄い円板であって、蹴り上げ時の衝撃で破壊されないものであれば、材質や組成は特に限定されない。
なお、後述するが、下部薄円板２の下部に、保護体８がさらに設けられた場合には、蹴り上げ部は、保護体８および下部薄円板２で構成される。
【００１５】
本請求項の考案に係る羽根付き遊具は、上記のような構造としたため、上部ストッパを境として、上部の羽根部分と下部のバネゴマ以下の部分との重量を比較すると、下部の方が重くなっており、足の甲で蹴り上げる際には、常に、重量の大きい蹴り上げ部を蹴り上げることになる。また、足による蹴り上げに替えて、手で突いて遊ぶこともできる。
【００１６】
本請求項の考案に係る羽根付き遊具は、蹴り上げて遊ぶ遊具であるため、狭い場所であっても、充分楽しく遊ぶことができる。
【００１７】
本請求項の考案に係る羽根付き遊具は、実用新案文献１に示されるような従来の羽根付き遊具と異なり、バネ部を有しているため、同じ力で蹴り上げても、バネ部の反発力により、空中により高く舞い上げることができる。
【００１８】
さらに、本請求項の考案では、前記したように、バネ部が、一定の形状のバネゴマを交互に組み合わせて構成されている。この構成により、円形状の素材を重ね合わせただけの従来の羽根付き遊具に比べ、隙間が多くなり、より軽量な遊具を得ることができる。このため、小さな力で、即ち、体力の低い子供や年寄りであっても、空中に高く舞い上げて遊ぶことができる。また、バネゴマは安価に製造することができるため、遊具自体を安価に提供することができる。
【００１９】
請求項２に記載の考案は、前記の羽根付き遊具であって、
前記羽根部を上部で固定する羽根軸を有し、
前記羽根部は前記羽根軸に十字状に固定された４枚の片羽根片よりなり、
前記上部ストッパ部は前記羽根軸に固定されており、
前記バネ部は中央部に設けられた孔が羽根軸に挿入された複数枚のバネゴマを有し、
前記蹴り上げ部は前記羽根軸の下端に固定された薄円板よりなる
ことを特徴とする羽根付き遊具である。
【００２０】
本請求項の考案は、前記の羽根付き遊具の構成につき、具体的に規定したものである。
【００２１】
請求項３に記載の考案は、前記の羽根付き遊具であって、
前記蹴り上げ部が固定具により前記羽根軸の下端に固定されており、
前記固定具の一部が前記蹴り上げ部の下面に露出しており、さらに前記固定具の露出部を保護する手段が前記蹴り上げ部に設けられていることを特徴とする羽根付き遊具である。
【００２２】
本請求項の考案は、羽根軸を固定する固定具の一部が、下部薄円板の下面に露出することに対する保護手段として、保護体を設けたものである。
図１に示すように、保護体８を設けることにより、固定具６の露出部６ａが、地面との摩擦等によって、破損することを抑制することができる。また、保護体８は、固定具６の露出部６ａによる手足のひっかき傷の発生や靴等への引っ掛け等、手足等への危害を防止することもでき、子供でも安全に遊ぶことができる。保護体８は、合成樹脂やゴム等からなり、下部薄円板２に貼り付けたり、下部薄円板２に嵌め込むようにして使用する。手で突いて遊ぶ場合と、足で蹴り上げて遊ぶ場合とで、保護体８を取り替え可能とすれば、衛生面からも好ましい。
前記した通り、保護体を設けた場合、蹴り上げ部は、下部薄円板と保護体より構成されることとなる。
【００２３】
請求項４に記載の考案は、前記の羽根付き遊具であって、
前記羽根片が、合成樹脂製の不織布またはネット状製品からなることを特徴とする羽根付き遊具である。
【００２４】
羽根は、通常、自然界に生息する鳥の羽根を使用するが、鳥類保護の環境面の配慮から、本請求項の考案は、ポリプロピレン等の合成樹脂製の不織布またはネット状に加工した製品を使用することにしたものである。
【００２５】
本請求項の考案は、羽根に合成樹脂製品を使用したことにより、安定した品質の羽根が得られ、かつ、量産が可能となる。また、強度が向上し、耐久性も増すことにより、競技大会などにも好ましく使用できる等の効果がある。  
【考案の効果】
【００２６】
本考案に係る羽根付き遊具は、蹴り上げて遊ぶ遊具であるため、狭い場所であっても、充分楽しく遊ぶことができる。
また、本考案に係る羽根付き遊具は、同じ力で蹴り上げても、バネ部の反発力により、空中により高く舞い上げることができ、面白い。
そして、本考案に係る羽根付き遊具は、小さな力で、即ち、体力の低い子供や年寄りであっても、空中に高く舞い上げて遊ぶことができる。
さらに、安価に羽根付き遊具を提供することができる。
【考案を実施するための最良の形態】
【００２７】
以下、本考案を実施するための最良の形態について、図１〜図５を用いて説明する。なお、本考案は、以下の実施の形態に限定されるものではない。本考案と同一および均等の範囲内において、以下の実施の形態に対して種々の変更を加えることが可能である。
【００２８】
図２は、図１に示す羽根部１の構造を説明する図である。
図２に示すように、羽根部は、水鳥または合成樹脂製の片羽根片１ａ，１ｂ，１ｃおよび１ｄの４枚から構成されている。そして、図１に示すように、羽根部１は、羽根軸４の４ヶ所で、糸で結束・固定されている。
【００２９】
図５は、蹴り上げ部の構造を説明する図である。
図５に示すように、下部薄円板２は硬質合成樹脂円板を用いており、小孔８ヶ所を設けて、４本の羽根軸下端４ａを固定具６（針金）にて縛って固定している。固定具６の露出部６ａについては、安全対策として軟質合成樹脂製の保護体８を貼り付けている。また、この保護方法については、合成樹脂性接着剤などを、固定具６の露出部６ａが隠れる程度に盛塗りして固めても良い。以上のように、本実施の形態においては、蹴り上げ部は、下部薄円板２、および保護体８より構成されている。
【００３０】
図３は、図１に示す上部ストッパ５の構成を説明する図である。
上部ストッパ５は、図１に示すように、羽根直下部分に設けられ、図３に示すように、２本の硬い針金と一本の軟らかい針金とから構成されている。即ち、向かい合う２本の羽根軸に対し、羽根軸に貫通孔を設けて、一本の硬い針金を、５ａから５ｂの順に通し、各々の先端を折り返しておく。もう一本の硬い針金も、同様に、５ｃから５ｄの順に通し、各々の先端を折り返しておく。さらに、ストッパとしての針金が、ぐらつかないように、羽根軸の貫通部分を軟らかい針金５ｅで締め付けておく。
【００３１】
図１に示すように、下部薄円板２と上部ストッパ５の間には、上部薄円板３を最上面に置き、その下側に７対（１４枚）のバネゴマ７で構成されるバネ部を配置する。
【００３２】
上部薄円板３は、厚さ０．７ｍｍ、直径３５ｍｍ、孔径１０ｍｍの合成樹脂製平面円板とした。
【００３３】
バネゴマ７の材料は厚さ０．５ｍｍ、直径３５ｍｍ、孔径１０ｍｍのやや弾力性のある合成樹脂製円板を使った。この平面円板を、半径１００ｍｍ程度の円弧に沿うような形状に湾曲処理したものを用いて凹凸交互に挿入した。
【００３４】
上記のような構成の羽根突き遊具において、蹴り上げ部（下部薄円板および保護体）の下面を足で蹴り上げると、下部の重い遊具は回転して蹴り上げ部を上にして上昇を始める。バネゴマにより構成されるバネ部の反発力により、手足で突いても身体への負担が少なく、小さい力で遊具を上昇させることができるため、子供からお年寄りまで、年齢に関係なく遊ぶことができる。
【図面の簡単な説明】
【００３５】
【図１】本考案に係る羽根付き遊具の概念図である。
【図２】本考案に係る羽根付き遊具の羽根部の構造を説明する図である。
【図３】本考案に係る羽根付き遊具の上部ストッパの構造を説明する図である。
【図４】本考案に係る羽根付き遊具のバネゴマの構造を説明する図である。
【図５】本考案に係る羽根付き遊具の蹴り上げ部の構造を説明する図である。
【符号の説明】
【００３６】
１        羽根部
１ａ、１ｂ、１ｃ、１ｄ    片羽根片
２        下部薄円板
３        上部薄円板
４        羽根軸
４ａ      羽根軸下端
４ｂ      羽根軸の結束部
５        上部ストッパ
５ａ、５ｂ、５ｃ、５ｄ  硬い針金
５ｅ      軟らかい針金
６        固定具
６ａ      固定具の露出部
７        バネゴマ
８        保護体
【図１】
0003131072.tif 000003
【図２】
0003131072.tif 000004
【図３】
0003131072.tif 000005
【図４】
0003131072.tif 000006
【図５】
0003131072.tif 000007